(57)【要約】      （修正有）【課題】換気又は排熱の役割を果すロングスロットを有する草刈機ヘッド構造を提供する。【解決手段】ヘッド本体の底部には除草カッター１３を取り付けるための第１の取付部１１、ヘッド本体の他方側には長棒体に接続するための第２の取付部１２が設けられており、第１の取付部の端口部には、内側に向けて伸ばされた少なくともの一ロングスロット１１１が設けられ、それにより、ヘッド本体内部の熱風を排出させ、ヘッド本体内、外を空気が流れるようにし、換気や排熱の役割を果すように設けられている。  【選択図】図７
0003186234.tif 000002
【実用新案登録請求の範囲】
【請求項１】
草刈機ヘッド構造であって、該草刈機ヘッド構造は、
ヘッド本体の底面に除草カッターを取り付けるための第１の取付部と、該ヘッド本体の他方側に長棒体に接続するための第２の取付部と、を備え、
該第１の取付部の端口部には、内側に向けて伸ばされた少なくとも１つの第１のロングスロットが設けられ、該第１のロングスロットは、該ヘッド本体の内部の熱風を外部へ排出させ、該ヘッド本体の排熱又は換気の役割を果たすことを特徴とする草刈機ヘッド構造。
【請求項２】
該第２の取付部の端口部には、内側に向けて伸ばされた少なくとも１つの第２のロングスロットが設けられていることを特徴とする請求項１に記載の草刈機ヘッド構造。
【請求項３】
該第１の取付部に、該第１のロングスロットの代わりに、空気導入のための少なくとも１つの通穴が設けられていることを特徴とする請求項１に記載の草刈機ヘッド構造。
【請求項４】
該ヘッド本体は、他の農業機械にも用いられることを特徴とする請求項1に記載の草刈機ヘッド構造。
【請求項５】
草刈機ヘッド構造であって、該草刈機ヘッド構造は、
除草カッターを駆動するための駆動機構が装着可能な第１の取付部と、
該駆動機構に動力を伝達するための動力伝達機構が装着可能な第２の取付部と、を備え、
該第１の取付部の端口付近に内側に向けて伸ばされた少なくとも１つの第１のロングスロットが設けられ、該第１のロングスロットは該駆動機構に生じる熱を該第１の取付部の外部へ拡散させ可能であることを特徴とする草刈機ヘッド構造。
【考案の詳細な説明】
【技術分野】
【０００１】
本考案は、草刈機ヘッド構造に関し、特に、換気又は排熱の役割を果すロングスロットを有する草刈機ヘッド構造に関する。
【背景技術】
【０００２】
図１〜図４に示すように、一般的に従来の草刈機のヘッド本体１において、ヘッド本体１の底部には除草カッター１３を取り付けるための第１の取付部１１と、ヘッド本体１の他方側には長棒体３に接続するための第２の取付部１２と、が設けられている。草刈機は長時間に渡って稼動するとき、ヘッド本体１内の高熱が排出されずに、ヘッド本体１の内部にある部品（例えば、軸受１４、駆動ギア１５など）の使用寿命の短縮してしまうことまたは損壊してしまうことが多々生じる。そのため、点検保守の費用が余計にかかることにつながり、そのうえ、ヘッド本体１の内部の部品交換も簡単に行えないという欠点も発生し、使用者の大きな悩みとなっている。
【考案の開示】
【考案が解決しようとする課題】
【０００３】
本考案は、草刈機ヘッド構造を提供することを目的とする。  
【課題を解決するための手段】
【０００４】
本考案の第１の態様に係る草刈機ヘッド構造は、草刈機ヘッド構造であって、該草刈機ヘッド構造は、ヘッド本体の底面に除草カッターを取り付けるための第１の取付部と、該ヘッド本体の他方側に長棒体に接続するための第２の取付部と、を備え、該第１の取付部の端口部には、内側に向けて伸ばされた少なくとも１つの第１のロングスロットが設けられ、該第１のロングスロットは、該ヘッド本体の内部の熱風を外部へ排出させ、該ヘッド本体の排熱又は換気の役割を果たす。
【０００５】
そして、本考案のロングスロット付きヘッド本体は、他の農業機械にも用いられることをここで説明しておく。
もちろん、本考案のほかの何らかの実施例、またはほかの実施例の配置は異なる場合があるが、取り上げられた実施例は、本明細書で詳しく説明され、その構造は図に示されている。
【図面の簡単な説明】
【０００６】
【図１】従来の草刈機ヘッド構造の外観図である。
【図２】従来の草刈機ヘッド構造の断面図である。
【図３】従来の草刈機ヘッド構造の断面図である。
【図４】従来の草刈機ヘッド構造の断面図である。
【図５】本考案の草刈機ヘッド構造の断面図である。
【図６】本考案の草刈機ヘッド構造の断面図である。
【図７】本考案の草刈機ヘッド構造の断面図である。
【図８】本考案の草刈機ヘッド構造のもう一つの実施例の断面図である。
【図９】本考案の草刈機ヘッド構造のもう一つの実施例の断面図である。
【図１０】本考案の草刈機ヘッド構造の更にもう一つの実施例図である。
【図１１】本考案の草刈機ヘッド構造の更にもう一つの実施例の断面図である。
【考案を実施するための形態】
【０００７】
図５と図７に示すのは、本考案の草刈機ヘッド構造である。ヘッド本体１の底部に雑草を除去するための除草カッター１３と軸受１４と駆動ギア１５とを取り付けるための第１の取付部１１と、ヘッド本体１の他方側に長棒体３に接続するための第２の取付部１２と、が設けられている。第２の取付部１２に接続する長棒体３の上には更に、草刈機に対応するための動力源、例えば、モーター、ハンドルなどが設けられる。本考案の特徴として、第１の取付部１１及び／または第２の取付部１２の端口部には、内側に向けて伸ばされた少なくとも１つのロングスロット１１１が設けられている。それにより、部品を第１の取付部１１や第２の取付部１２に取り付けたとき、部品が端口部の内縁に完全に貼り付けない態様で設けることができ、ロングスロット１１１の設置により、ヘッド本体１が高速稼動または長時間で稼動しているとき、部品に生じた高熱がロングスロット１１１を通って外部に流れる。換言すれば、ヘッド本体内から外へ空気（熱風）が流れることになり、換気の役割を果せることになる。
【０００８】
ロングスロット１１１は、第１の取付部１１及び／または第２の取付部１２の端口部に、その内側に向けて伸ばされるように設けられているロングスロット１１１の形状は、直線状のロングスロットに限らない。  
【０００９】
図８と図９は、本考案の草刈機ヘッド構造のもう一つの好適な実施例を示す。第１の取付部１１及び第２の取付部１２の端口部に、曲線状のロングスロット１１１が設けられている。それにより、同様にヘッド本体内から外への通気又は排熱の役割を果たすことが可能となる
【００１０】
図１０と図１１に示すのは、本考案の草刈機ヘッド構造のもう一つの好適な実施例である。ヘッド本体１内の第１の取付部１１の適当な所に更に、１つの通穴１１２が設けられる。ロングスロット１１１の代わりに、通穴１１２が第１の取付部１１を通すように設けられ、これにより第１の取付部１１内部の高熱を、通穴１１２を経て、外部の空気に触れさせ、熱の排出が行われるようにしている。
【００１１】
以上の実施形態の開示は、本考案の説明に用いられるもので、それを以て本考案を制限してはならないとし、その変更を行い、それと同等な効果を有する部品に置き換えたとして、それらは全て本考案の範囲に属するものとする。  
【符号の説明】
【００１２】
１          ヘッド本体
１１        第１の取付部
１１１      ロングスロット
１１２      通穴
１２        第２の取付部
３          長棒体
１３        除草カッター
１４        軸受
１５        駆動ギア
【図１】
0003186234.tif 000003
【図２】
0003186234.tif 000004
【図３】
0003186234.tif 000005
【図４】
0003186234.tif 000006
【図５】
0003186234.tif 000007
【図６】
0003186234.tif 000008
【図７】
0003186234.tif 000009
【図８】
0003186234.tif 000010
【図９】
0003186234.tif 000011
【図１０】
0003186234.tif 000012
【図１１】
0003186234.tif 000013